(57)【特許請求の範囲】
【請求項１】
映像コンテンツを生成する映像コンテンツ生成装置と通信可能に接続された映像コンテンツを制作する映像コンテンツ制作端末であって、
背景画像データを、当該背景画像データが表示される再生開始時点からのタイミング情報とともに、入力を受け付ける背景画像データ入力受付手段と、
前記背景画像上に重ねて表示され、当該背景画像上の位置情報を含む描画データを、当該描画データが表示される再生開始時点からのタイミング情報とともに、入力を受け付ける描画データ入力受付手段と、
音声データを、当該音声データが再生される再生開始時点からのタイミング情報とともに、入力を受け付ける音声データ入力受付手段と、
受信した前記背景画像データと、前記描画データと、前記音声データとを、ともに受信した再生開始時点からのタイミングとそれぞれ関連付けて、独立に記憶させる映像コンテンツ素材記憶手段と、
一のファイルにエンコーディングすることなく独立に記憶された前記背景画像データと、前記描画データと、前記音声データとを、当該データが再生される再生開始時点からのタイミング情報とともに、前記映像コンテンツ生成装置に送信する映像コンテンツ素材送信手段と、
入力を受け付けた前記背景画像データ、前記描画データ、又は前記音声データについて、既に記憶された当該データがある時には、入力を受け付けた種類のデータのみ編集を行う映像コンテンツ素材編集手段と、
前記映像コンテンツ素材編集手段は、既に描画された描画データの一部を変更する際に、既に描画された描画データのうち変更を所望する一部の描画の前記背景画像上の描画による位置情報を変更するのみで前記描画データの一部を変更するとともに、同時のタイミングで受付けた音声データに対応する変更もあわせて実行する、ことを特徴とする映像コンテンツ制作端末。
【請求項２】
前記描画データ入力受付手段は、同じタイミングで複数の描画データがあった場合に、各々の入力に対して固有のＩＤを付与し補完することを特徴とする請求項１に記載の映像コンテンツ制作端末。
【請求項３】
映像コンテンツを生成する映像コンテンツ生成装置と通信可能に接続された映像コンテンツを制作する映像コンテンツ制作端末が実行するコンテンツ生成方法であって、
背景画像データを、当該背景画像データが表示される再生開始時点からのタイミング情報とともに、入力を受け付けるステップと、
前記背景画像上に重ねて表示され、当該背景画像上の位置情報を含む描画データを、当該描画データが表示される再生開始時点からのタイミング情報とともに、入力を受け付けるステップと、
音声データを、当該音声データが再生される再生開始時点からのタイミング情報とともに、入力を受け付けるステップと、
受信した前記背景画像データと、前記描画データと、前記音声データとを、ともに受信した再生開始時点からのタイミングとそれぞれ関連付けて、独立に記憶させるステップと、
一のファイルにエンコーディングすることなく独立に記憶された前記背景画像データと、前記描画データと、前記音声データとを、当該データが再生される再生開始時点からのタイミング情報とともに、前記映像コンテンツ生成装置に送信するステップと、
入力を受け付けた前記背景画像データ、前記描画データ、又は前記音声データについて、既に記憶された当該データがある時には、入力を受け付けた種類のデータのみ編集を行うステップと、
を備え、
前記入力を受け付けた種類のデータのみ編集を行うステップは、既に描画された描画データの一部を変更する際に、既に描画された描画データのうち変更を所望する一部の描画の前記背景画像上の描画による位置情報を変更するのみで前記描画データの一部を変更するとともに、同時のタイミングで受付けた音声データに対応する変更もあわせて実行する、ことを特徴とする映像コンテンツ生成方法。
【発明の詳細な説明】
【技術分野】
【０００１】
本発明は、受講者が視聴する映像コンテンツ制作端末、映像コンテンツ生成方法、及び映像コンテンツ制作端末用プログラムに関する。
【０００２】
近年、インターネットの発展に伴い、電子教材を用いた教育サービスであるｅ-Ｌｅａｒｎｉｎｇが提供され始めている。書籍では提供できないような動画やインタラクティブ性が高いリッチコンテンツを提供できることが、インターネットを介したｅ-Ｌｅａｒｎｉｎｇの強みの一つとなっている。
【０００３】
一例として、動画や解説音声を教材と組み合わせる事で、正しい発音を学習者に提供できたり、記述すると長過ぎるような細かい説明を容易に行ったりすることができる。さらに、教材に対する説明の書き込みについても、動画の場合には、書き込みを行う順番や、解説音声と組み合わせる事でより高度な説明が可能となっている。
【０００４】
例えば、描画、描画と一体の音声を完成した状態で記憶し、一括して送受信し、描画と音声入力の過程を入力時と同じ態様で再現可能とする「蓄積ライティング通信装置」が開示されている。
【先行技術文献】
【特許文献】
【０００５】
【特許文献１】特開平０７-０４６３５２号公報
【発明の概要】
【発明が解決しようとする課題】
【０００６】
特許文献１においては、一定時間毎に描画及び音声入力の有無を検査し、描画若しくは音声が入力されない時間を記憶、これをデータの再現に使用する手法が開示されており、それによって、通信費の節約、通信に際しての時間的制限の解消、教育効果の向上、資料の整理性の向上等が図れる。
【０００７】
しかしながら特許文献１に記載された手法は、単に描画データと音声データの組み合わせを少ないデータ量で表すことが出来るに過ぎず、通信速度が十分に発達した今日では、コンテンツ制作自体の効率化に大きな需要がある。
【０００８】
そこで本発明の発明者は、映像コンテンツを単一の動画ファイルとして捉えるのではなく、音声や画像といった素材が、再生タイミングとともに記録されたファイルの集合だとみなす事で、専門的な知識やソフトウェアを用いず、容易に部分的な編集ができる映像を制作できることに着目した。
【０００９】
本発明は、これらの課題に鑑み、背景画像データと、背景画像上に重ねて表示される描画データと、音声データとを、データが再生されるタイミング情報とともに独立に記憶させることで、容易に編集が可能であるとともに、一の映像コンテンツとして再生可能な映像コンテンツ制作端末、映像コンテンツ生成方法、及び映像コンテンツ制作端末用プログラムを提供することを目的とする。
【課題を解決するための手段】
【００１０】
本発明では、以下のような解決手段を提供する。
【００１４】
第１の特徴に係る発明は、映像コンテンツを生成する映像コンテンツ生成装置と通信可能に接続された映像コンテンツを制作する映像コンテンツ制作端末であって、
背景画像データを、当該背景画像データが表示される再生開始時点からのタイミング情報とともに、入力を受け付ける背景画像データ入力受付手段と、
前記背景画像上に重ねて表示され、当該背景画像上の位置情報を含む描画データを、当該描画データが表示される再生開始時点からのタイミング情報とともに、入力を受け付ける描画データ入力受付手段と、
音声データを、当該音声データが再生される再生開始時点からのタイミング情報とともに、入力を受け付ける音声データ入力受付手段と、
受信した前記背景画像データと、前記描画データと、前記音声データとを、ともに受信した再生開始時点からのタイミングとそれぞれ関連付けて、独立に記憶させる映像コンテンツ素材記憶手段と、
一のファイルにエンコーディングすることなく独立に記憶された前記背景画像データと、前記描画データと、前記音声データとを、当該データが再生される再生開始時点からのタイミング情報とともに、前記映像コンテンツ生成装置に送信する映像コンテンツ素材送信手段と、
入力を受け付けた前記背景画像データ、前記描画データ、又は前記音声データについて、既に記憶された当該データがある時には、入力を受け付けた種類のデータのみ編集を行う映像コンテンツ素材編集手段と、
前記映像コンテンツ素材編集手段は、既に描画された描画データのうち変更を所望する一部の描画の前記背景画像上の描画による位置情報を変更するのみで前記描画データの一部を変更するとともに、同時のタイミングで受付けた音声データに対応する変更もあわせて実行する、ことを特徴とする映像コンテンツ制作端末を提供する。
【００１５】
第１の特徴に係る発明によれば、映像コンテンツを生成する映像コンテンツ生成装置と通信可能に接続された映像コンテンツを制作する映像コンテンツ制作端末は、背景画像データを、当該背景画像データが表示される再生開始時点からのタイミング情報とともに、入力を受け付け、前記背景画像上に重ねて表示され、当該背景画像上の位置情報を含む描画データを、当該描画データが表示される再生開始時点からのタイミング情報とともに、入力を受け付け、音声データを、当該音声データが再生される再生開始時点からのタイミング情報とともに、入力を受け付け、受信した前記背景画像データと前記描画データと前記音声データとを、ともに受信した再生開始時点からのタイミングとそれぞれ関連付けて、独立に記憶させ、一のファイルにエンコーディングすることなく独立に記憶された前記背景画像データと、前記描画データと、前記音声データとを、当該データが再生される再生開始時点からのタイミング情報とともに、前記映像コンテンツ生成装置に送信し、入力を受け付けた前記背景画像データ、前記描画データ、又は前記音声データについて、既に記憶された当該データがある時には、入力を受け付けた種類のデータのみ編集を行い、既に描画された描画データの一部を変更する際に、既に描画された描画データのうち変更を所望する一部の描画の前記背景画像上の描画による位置情報を変更するのみで前記描画データの一部を変更するとともに、同時のタイミングで受付けた音声データに対応する変更もあわせて実行する。
第１の特徴に係る発明は、映像コンテンツ制作端末のカテゴリであるが、映像コンテンツ生成方法、及び映像コンテンツ制作端末用プログラムであっても、カテゴリに応じた同様の作用、効果を奏する。
【００１６】
第２の特徴に係る発明は、同じタイミングで複数の描画データがあった場合に、各々の入力に対して固有のＩＤを付与し補完することを特徴とする第１の特徴に係る発明である映像コンテンツ制作端末を提供する。
【００１７】
第２の特徴に係る発明によれば、第１の特徴に係る発明である映像コンテンツ制作端末は、同じタイミングで複数の描画データがあった場合に、各々の入力に対して固有のＩＤを付与し補完する。
【００１８】
第３の特徴に係る発明は、映像コンテンツを生成する映像コンテンツ生成装置と通信可能に接続された映像コンテンツを制作する映像コンテンツ制作端末が実行するコンテンツ生成方法であって、背景画像データを、当該背景画像データが表示される再生開始時点からのタイミング情報とともに、入力を受け付けるステップと、
前記背景画像上に重ねて表示され、当該背景画像上の位置情報を含む描画データを、当該描画データが表示されるタイミング情報とともに、入力を受け付けるステップと、
音声データを、当該音声データが再生される再生開始時点からのタイミング情報とともに、入力を受け付けるステップと、
受信した前記背景画像データと、前記描画データと、前記音声データとを、ともに受信した再生開始時点からのタイミングとそれぞれ関連付けて、独立に記憶させるステップと、
一のファイルにエンコーディングすることなく独立に記憶された前記背景画像データと、前記描画データと、前記音声データとを、当該データが再生される再生開始時点からのタイミング情報とともに、前記映像コンテンツ生成装置に送信するステップと、
入力を受け付けた前記背景画像データ、前記描画データ、又は前記音声データについて、既に記憶された当該データがある時には、入力を受け付けた種類のデータのみ編集を行うステップと、
を備え、
前記入力を受け付けた種類のデータのみ編集を行うステップは、既に描画された描画データの一部を変更する際に、既に描画された描画データのうち変更を所望する一部の描画の前記背景画像上の描画による位置情報を変更するのみで前記描画データの一部を変更するとともに、同時のタイミングで受付けた音声データに対応する変更もあわせて実行する、ことを特徴とする映像コンテンツ生成方法を提供する。
【発明の効果】
【００２０】
本発明によれば、背景画像データと、背景画像上に重ねて表示される描画データと、音声データとを、データが再生されるタイミング情報とともに独立に記憶させることで、容易に編集が可能であるとともに、一の映像コンテンツとして再生可能な映像コンテンツ制作端末、映像コンテンツ生成方法、及び映像コンテンツ制作端末用プログラムを提供することが可能となる。
【図面の簡単な説明】
【００２１】
【図１】図１は、本発明の好適な実施形態である映像コンテンツ生成システム１の概要図である。
【図２】図２は、映像コンテンツ生成システム１の全体構成図である。
【図３】図３は、映像コンテンツ生成装置１０、映像コンテンツ制作端末５０の機能ブロックと各機能の関係を示す図である。
【図４】図４は、映像コンテンツ生成装置１０が実行する映像コンテンツ制作編集処理のフローチャート図である。
【図５】図５は、映像コンテンツ生成装置１０、映像コンテンツ制作端末５０が実行する映像コンテンツ生成処理のフローチャート図である。
【図６】図６は、描画データを再生したときの軌跡を図示したものである。
【図７】図７は、編集された描画データを再生したときの軌跡を図示したものである。
【発明を実施するための形態】
【００２２】
以下、本発明を実施するための最良の形態について図を参照しながら説明する。なお、これはあくまでも一例であって、本発明の技術的範囲はこれに限られるものではない。
【００２３】
［映像コンテンツ生成システム１の概要］
図１は、本発明の好適な実施形態である映像コンテンツ生成システム１の概要を説明するための図である。この図１に基づいて、映像コンテンツ生成システム１の概要を説明する。
【００２４】
初めに、映像コンテンツ制作端末５０は、映像コンテンツの制作者であるユーザから、背景画像データ、描画データ、音声データの入力を、再生タイミングとともに受け付ける（ステップＳ０１）。以下では、この三種類のデータをまとめて映像コンテンツ素材データと呼ぶ。
【００２５】
ここで、描画データとは、背景画像データの上から重ねて描画する内容をデータとして表したものである。例えば、背景画像データとして星空を示し、白線を描画し星座を囲むといった使い方が挙げられる。そのとき、白線が、どこから書かれ、どこを通ってどこで終わったかが描画データであり、それがいつ始まっていつどこを通り、いつ書き終わるかを表したものが再生タイミングである。音声データの場合も同様である。
【００２６】
ここで、ユーザは再生タイミングを明示的に入力するのではなく、リアルタイムでの入力を行った際に、映像コンテンツ制作端末５０が計時したタイミングを再生タイミングとしてよい。
【００２７】
通常のレコーディングソフトであれば、こうした描画や音声を取り込むと、再生可能な一のファイルにエンコードすることで、容量を削減する。しかしその場合、特定部位の描画や音声を編集する際、描画と背景画像を分離する事すら困難である。
【００２８】
そこで、映像コンテンツ制作端末５０は、入力を受け付けた映像コンテンツ素材データを、再生タイミングとともに独立で記憶させる（ステップＳ０２）。こうすることで、後から一部の描画データや、音声データのみを変更したいときには、特定の再生タイミングにおけるデータを一旦削除し、新たなデータで上書きするだけで編集を行うことが可能である。
【００２９】
その後、映像コンテンツの視聴者が利用する映像コンテンツ生成装置１０からの要求を受け、映像コンテンツ制作端末５０は記憶した映像コンテンツ素材データを読み出し（ステップＳ０３）、映像コンテンツ生成装置１０に送信する（ステップＳ０４）。
【００３０】
映像コンテンツ素材データを受信した映像コンテンツ生成装置１０は、それぞれの映像コンテンツ素材データを、再生するタイミングに応じて再生することにより、全体として一の映像コンテンツを生成し、ユーザの視聴に供することが可能である。
【００３１】
以上が、映像コンテンツ生成システム１の概要である。
【００３２】
［映像コンテンツ生成システムのシステム構成］
図２は、映像コンテンツ生成システム１の全体構成図である。映像コンテンツ生成システム１において、映像コンテンツ生成装置１０と映像コンテンツ制作端末５０は、公衆回線網３を介して通信可能に接続されている。このとき、中継の機能を持った映像コンテンツ提供サーバが間に入って、映像コンテンツ制作端末５０がアップロードした映像コンテンツ素材データを、映像コンテンツ生成装置１０の要求に応じて送信してもよい。
【００３３】
映像コンテンツ生成装置１０、及び映像コンテンツ制作端末５０は、それぞれ後述の機能を備える一般の端末であってよい。
【００３４】
ここで、映像コンテンツ制作端末５０の各機能が、ウェブを介したサーバから提供され、映像コンテンツ制作端末５０は、入出力を行うクライアント端末の役割を果たしていてもよい。
【００３５】
［各機能の説明］
図３は、映像コンテンツ生成装置１０、映像コンテンツ制作端末５０の機能ブロックと各機能の関係を示す図である。
【００３６】
映像コンテンツ生成装置１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、例えば、ＩＥＥＥ８０２．１１に準拠したＷｉＦｉ（Ｗｉｒｅｌｅｓｓ  Ｆｉｄｅｌｉｔｙ対応デバイス又は、第３世代移動通信システム等のＩＭＴ−２０００規格に準拠した無線デバイス等と、ＧＰＳデバイスを備える。また、映像コンテンツ生成装置１０は入出力部１３として、制御部で制御したデータや画像、音声を出力表示する出力部を備え、かつ、ユーザからの入力を受付けるタッチパネルやキーボード、マウス、マイク等の入力部を備える。
【００３７】
映像コンテンツ生成装置１０において、制御部１１が所定のプログラムを読み込むことで、通信部１２と協働して、背景画像データ受信モジュール１４、描画データ受信モジュール１５、音声データ受信モジュール１６を実現する。また、映像コンテンツ生成装置１０において、制御部１１が所定のプログラムを読み込むことで、入出力部１３と協働して、映像コンテンツ再生モジュール１７を実現する。
【００３８】
映像コンテンツ制作端末５０は、同様に、制御部５１として、ＣＰＵ，ＲＡＭ，ＲＯＭ等を備え、通信部５２として、例えば、ＩＥＥＥ８０２．１１に準拠したＷｉＦｉ対応デバイスとを備える（有線であってもよい）。また、映像コンテンツ制作端末５０は、記憶部５３として、ハードディスクや半導体メモリによる、データのストレージ部を備える。また、映像コンテンツ制作端末５０は入出力部５４として、制御部で制御したデータや画像、音声を出力表示する出力部を備え、かつ、ユーザからの入力を受付けるタッチパネルやキーボード、マウス、マイク等の入力部を備える。
【００３９】
映像コンテンツ制作端末５０において、制御部５１が所定のプログラムを読み込むことで、通信部５２と協働して、映像コンテンツ素材送信モジュール５５を実現する。また、映像コンテンツ制作端末５０において、制御部１１が所定のプログラムを読み込むことで、記憶部５３と協働して、映像コンテンツ素材記憶モジュール５６、映像コンテンツ素材編集モジュール５７を実現する。また、映像コンテンツ制作端末５０において、制御部１１が所定のプログラムを読み込むことで、入出力部５４と協働して、背景画像データ入力受付モジュール５８、描画データ入力受付モジュール５９、音声データ入力受付モジュール６０を実現する。
【００４０】
［映像コンテンツ制作編集処理］
図４は、映像コンテンツ制作端末５０が実行する映像コンテンツ制作編集処理のフローチャートである。上述した各装置のモジュールが行う処理について、本処理にて併せて説明する。
【００４１】
初めに、映像コンテンツ制作端末５０の背景画像データ入力受付モジュール５８、描画データ入力受付モジュール５９、音声データ入力受付モジュール６０は、映像コンテンツ素材データの入力を待ち受ける（ステップＳ１１）。その後、入力を受け付けると（ステップＳ１２）、映像コンテンツ素材記憶モジュール５６は、受け付けた映像コンテンツ素材データのファイルが既に存在しているかの判断を行う（ステップＳ１３）。
【００４２】
ファイルが存在していなかった場合（ステップＳ１３：「ＮＯ」の場合）には、新規にファイルを作成し、そこに受け付けた入力の内容を記憶させる（ステップＳ１４）。一方、既にファイルが存在していた場合（ステップＳ１３：「ＹＥＳ」の場合）には、映像コンテンツ素材編集モジュール５７がそのファイルをオープンし、ファイルの編集を行う（ステップＳ１５）。
【００４３】
図６は、描画データを再生したときの軌跡を図示したものである。図６及び後述の図７において、ｔは再生開始からの秒数を表す。Ｘ軸７１は右方向が正であり、Ｙ軸７２は下方向が正である。再生時には、ｔ＝１における開始位置７３から、矢印７４の方向に、終端７５まで一定の速度で線が引かれる。灰色部７６は再生時に補完される。なお、補完の有無には座標や入力間隔の閾値が設けられてよい。
【００４４】
図７は、編集された描画データを再生したときの軌跡を図示したものである。図６と同様であるが、ｔ＝３における点９１と、ｔ＝４における点９２が変化したため、描かれる図形が異なっている。このようにして、画像編集を行うことなく、数値の変更のみで、描画データの変更が可能である。
【００４５】
なお、同じタイミングに複数の描画データがあるときは、それぞれに固有のＩＤが振られ補完されることで、同時に複数の図形を書き込める。編集時、その描画データが追加であるのか上書きであるのかは、ユーザによって示されてよい。
【００４６】
加えて、これらの編集は素材データごとに独立に行われるので、描画データの編集が、直接他のデータに影響を与えることはない。もちろん、同時に入力した描画データと音声データを、同時にそれぞれ上書きすることは可能である。
【００４７】
入力を処理した後は、コンテンツ制作が完了したか否かを判断する（ステップＳ１６）。コンテンツ制作の完了は、ユーザの入力等によって、編集ウィンドウが閉じられたり、制作完了のボタンが押されたりすることによってなされる。コンテンツ制作が完了した場合（ステップＳ１６：「ＹＥＳ」の場合）は、映像コンテンツ制作編集処理を終了する。一方、未だ完了していない場合（ステップＳ１６：「ＮＯ」の場合）は、ステップＳ１２からステップＳ１５までの処理を繰り返す。
【００４８】
以上が、映像コンテンツ制作編集処理の手順である。
【００４９】
［映像コンテンツ生成処理］
図５は、映像コンテンツ生成装置１０と、映像コンテンツ制作端末５０が実行する映像コンテンツ生成処理のフローチャートである。上述した各装置のモジュールが行う処理について、本処理にて併せて説明する。
【００５０】
初めに、映像コンテンツ生成装置１０の背景画像データ受信モジュール１４、描画データ受信モジュール１５、音声データ受信モジュール１６は、映像コンテンツ制作端末５０に、映像コンテンツ素材データの要求を送信する（ステップＳ２１）。ここで、要求の送信は、映像コンテンツ制作端末５０に替えて、映像コンテンツ制作端末５０が制作を行った後に映像コンテンツ素材データを記憶させているサーバに対して送信してもよい。また、この要求はプロトコルを問わず、例えばアーカイブファイル等に対するｈｔｔｐリクエストであってよい。
【００５１】
映像コンテンツ制作端末５０の映像コンテンツ素材送信モジュール５５は要求を受信し（ステップＳ２２）、映像コンテンツ素材データ、すなわち背景画像データ、描画データ、音声データを映像コンテンツ生成装置１０に対して送信する（ステップＳ２３）。映像コンテンツ生成装置１０の背景画像データ受信モジュール１４、描画データ受信モジュール１５、音声データ受信モジュール１６は、それぞれこれを受信する（ステップＳ２４）。
【００５２】
次に、映像コンテンツ生成装置１０の映像コンテンツ再生モジュール１７は、映像コンテンツ素材データを読み込む（ステップＳ２５）。具体的には、映像コンテンツ素材データを読み込んでメモリ上に展開したり、ファイルにアクセスしてその読み込み位置をファイルの先頭に設定したりしてよい。
【００５３】
次に、映像コンテンツ生成装置１０の映像コンテンツ再生モジュール１７は、各映像コンテンツ素材データの各ファイルを読み込み、再生すべきデータがあれば、それを再生する。図６の例で言えば、現在の再生開始からの秒数が４であれば、座標（３０，１０）から座標（４０，１０）まで、１００番のペンで直線を引く。また、再生を開始したり、停止したりすべき音声があれば、その処理を行う。
【００５４】
次に、映像コンテンツ生成装置１０の映像コンテンツ再生モジュール１７は、再生からの時間経過に応じて、ファイルの読み込みを進めるとともに、各ファイルの読み込みが末尾に達していないかを判断する（ステップＳ２８）。ファイルが末尾に達し、これ以上再生するデータが無い場合（ステップＳ２８：「ＹＥＳ」の場合）には、映像コンテンツの生成処理を終了する。一方、まだ再生位置がファイルの途中である場合（ステップＳ２８：「ＮＯ」の場合）には、ファイル末尾に達するまでステップＳ２６とステップＳ２７を繰り返し実行する。
【００５５】
なお、ファイルの内容が再正開始からのタイミングでソートされていない場合は、現在のタイミング以降に再生されるデータがないことを判断したり、再生時間を設定した設定ファイルを読み込み、その時間が経過したことによって、再生を終了したりしてよい。以上が、映像コンテンツ生成処理の手順である。
【００５６】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５７】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５８】
１  映像コンテンツ生成システム、３  公衆回線網、１０  映像コンテンツ生成装置、５０  映像コンテンツ制作端末
【図１】
0005903754.tif 000002
【図２】
0005903754.tif 000003
【図３】
0005903754.tif 000004
【図４】
0005903754.tif 000005
【図５】
0005903754.tif 000006
【図６】
0005903754.tif 000007
【図７】
0005903754.tif 000008